(57)【要約】本発明はアイデンティティとロケーションマッピングの実現方法及びシステムを開示し、前記方法は、ネットワーク側はUEに新しいIPアドレスを割り当てた後、アイデンティティとロケーションマッピング要求をILM-FEに送信することと、前記ILM-FEは受信した前記アイデンティティとロケーションマッピング要求に基づいて、マッピング情報が載せられた応答をネットワーク側にリターンバックすることとを含む。本発明を利用した後、IPSPLITネットワークにおいてネットワークに基づいてアイデンティティとロケーションマッピングを開始することを実現させ、ID/LOCマッピングの効率を向上させる。
2013509837.tif 000002
【特許請求の範囲】
【請求項１】
アイデンティティとロケーションマッピングの実現方法であって、
ネットワーク側は端末（UE）に新しいIPアドレスを割り当てた後、アイデンティティとロケーションマッピング要求をアイデンティティとロケーション分離マッピング機能エンティティ（ILM-FE）に送信することと、
前記ILM-FEは受信した前記アイデンティティとロケーションマッピング要求に基づいて、マッピング情報が含まれた応答をネットワーク側にリターンバックすることとを含むアイデンティティとロケーションマッピングの実現方法。
【請求項２】
前記ネットワーク側がネットワークアクセス管理機能エンティティであり、
前記アイデンティティとロケーションマッピング要求は前記新しいIPアドレスと端末アイデンティティを含む請求項１に記載の方法。
【請求項３】
前記ネットワーク側が端末に新しいIPアドレスを割り当てるステップにおいて、ネットワークアクセス管理機能エンティティは端末がアクセス管理機能エンティティによって送信した動的ホスト配置プロトコル要求を受信した後、端末に新しいIPアドレスを割り当てる請求項２に記載の方法。
【請求項４】
前記ネットワーク側が端末に新しいIPアドレスを割り当てるステップにおいて、ネットワークアクセス管理機能エンティティはアクセス管理機能エンティティが送信した配置要求を受信した後、端末に新しいIPアドレスを割り当てる請求項２に記載の方法。
【請求項５】
アイデンティティとロケーションマッピングの実現システムであって、ネットワーク側と、アイデンティティとロケーション分離マッピング機能エンティティ（ILM-FE）を備え、その中、
前記ネットワーク側は、端末に新しいIPアドレスを割り当てた後、アイデンティティとロケーションマッピング要求をアイデンティティとロケーション分離マッピング機能エンティティ（ILM-FE）に送信するように設置され、
前記ILM-FEは、受信した前記アイデンティティとロケーションマッピング要求に基づいて、マッピング情報が含まれた応答をネットワーク側にリターンバックするように設置されるアイデンティティとロケーションマッピングの実現システム。
【請求項６】
前記ネットワーク側がネットワークアクセス管理機能エンティティであり、前記ネットワークアクセス管理機能エンティティは、前記ILM-FEに送信する前記アイデンティティとロケーションマッピング要求において前記新しいIPアドレスと端末アイデンティティを含むように設置される請求項５に記載のシステム。
【請求項７】
前記ネットワークアクセス管理機能エンティティはさらに、端末がアクセス管理機能エンティティによって送信した動的ホスト配置プロトコル要求を受信した後、端末に新しいIPアドレスを割り当てるように設置される請求項６に記載のシステム。
【請求項８】
前記ネットワークアクセス管理機能エンティティはさらに、アクセス管理機能エンティティが送信した配置要求を受信した後、端末に新しいIPアドレスを割り当てるように設置される請求項６に記載のシステム。
【請求項９】
アイデンティティとロケーションマッピングをサポートする装置であって、ネットワーク側に応用され、前記装置は割り当てモジュール、送信モジュール及び受信モジュールを備え、その中、
前記割り当てモジュールは、端末（UE）に新しいIPアドレスを割り当てるように設置され、
前記送信モジュールは、割り当てモジュールがUEに新しいIPアドレスを割り当てた後、アイデンティティとロケーションマッピング要求をアイデンティティとロケーション分離マッピング機能エンティティ（ILM-FE）に送信するように設置され、
前記受信モジュールは、ILM-FEがリターンバックしたマッピング情報が含まれた応答を受信するように設置されるアイデンティティとロケーションマッピングをサポートする装置。
【請求項１０】
前記装置がネットワークアクセス管理機能エンティティである請求項９に記載の装置。
【請求項１１】
前記送信モジュールはさらに、前記ILM-FEに送信する前記アイデンティティとロケーションマッピング要求において前記新しいIPアドレスと端末アイデンティティを含むように設置される請求項９または１０に記載の装置。
【請求項１２】
前記送信モジュールはさらに、端末がアクセス管理機能エンティティによって送信した動的ホスト配置プロトコル要求を受信した後、端末に新しいIPアドレスを割り当てるように設置される請求項９または１０に記載の装置。
【請求項１３】
前記送信モジュールはさらに、アクセス管理機能エンティティが送信した配置要求を受信した後、端末に新しいIPアドレスを割り当てるように設置される請求項９または１０に記載の装置。
【発明の詳細な説明】
【技術分野】
【０００１】
本発明は通信技術分野に関し、特にアイデンティティ及びロケーション(ID/LOC)マッピングの実現方法及びシステム。
【背景技術】
【０００２】
現在インターネットの各層構造において、物理層の以外、各層プロトコルエンティティがいずれも自分の名前空間を有し、それぞれリンク層のMACアドレス、ネットワーク層のIPアドレス、伝送層のIPアドレスとポート番号及びアプリケーション層のドメイン名である。これらの名前空間において、MACアドレスはサブネット内で唯一であることだけを要求し、ポート番号はホスト内で唯一であることだけを要求するため、インターネットにおいて2つの重要なグローバル名前空間--IPアドレス及びドメイン名が存在する。ドメイン名とIPアドレスの間はDNSによって解析を実現する。このような名前空間構造においてIPアドレスには二重機能を有し、ネットワーク層の通信端末のホストネットワーク?インタフェースがネットワークトポロジーにおけるロケーションの識別とするだけでなく、伝送層のホストネットワーク?インタフェースのアイデンティティとする。TCP/IP設計の初めに、ホストが移動する場合を考慮しなかったが、NGN （Next Generation Networks、次世代ネットワーク）の発展につれて、ユーザのモビリティ（mobility）とホストのマルチホーミング（multihoming）の問題がますます普通になって、このようなIPアドレスのセマンティック過負荷の欠陥が高まりつつある。ホストのIPアドレスが変わる際に、ルーティングが変化するだけでなく、通信端末のホストのアイデンティティも変化する。ルーティングの変化に対して対応することができるが、ホスト識別の変化はアプリケーションと接続の中断をもたらす。
【０００３】
モビリティとマルチホーミングをサポートし、コールの継続性をよりよくサポートするために、業界がIPSPLIT（ID/locator separation in NGN、次世代ネットワークアイデンティティ/ロケーション分離）技術を導入し、IPSPLIT技術はホスト識別子（Host ID）を用いてホストのアイデンティティとして、ホスト識別子は全世界に唯一、それぞれがInternetに接続するホストを標識し、伝送層とネットワーク層を離れ、Internetに１つ安全なホスト移動とマルチホームの方法を提供し、1つ暗号化されたホスト識別の命名空間を提供し、通信双方をより容易に認証し、安全的な、信頼できるネットワークシステムを実現する目的とする。IPSPLITネットワークにおいて、IPアドレスは通信端末ホストがネットワークトポロジーにおけるルーティングロケーションだけを表し、この技術はIPアドレスのセマンティック過負荷の問題を解決し、IPアドレスの二重機能を分離し、マルチモビリティ、マルチホーミング、IPアドレスの動的再配分及び異なるネットワーク領域との間の互いにアクセスする問題等に対するサポートを実現する。
【０００４】
IPSPLIT技術はNGNに基づく。IPSPLITネットワークにおいて、ユーザーがモビリティであり、マルチホーミングであってもよく、この際に、1つのユーザーのIPアドレスに対して唯一に割り当てるのではなく、1つのホスト識別子は複数のIPアドレスに対応できるため、マルチホーミングとモビリティ問題をよく解決できる。マルチホーミング機器のホスト識別子は複数のIPアドレスに対応し、1つのIPアドレスが使用できないことになったり、或いはよりよいIPアドレスがあれば、作成された伝送層接続は容易に他のIPアドレスに移動されることができる。ホストの移動のために、IPアドレスは変化することがあるが、ホスト識別子は変化しないため、伝送層の接続を中断しなくてもよいが、モバイルノードは自分IPアドレスの変更をを通知すべきである。伝送層接続はホスト識別子にバインディングされ、IPアドレスは単にルーティングを行うことに用いられるため、IPSPLIT技術は異なるネットワーク領域との間、例えば公衆ネットワークとプライベートネットワークとの間、及びIPv4ネットワークとIPv6ネットワークとの間等の互いのアクセスを実現できる。
【０００５】
図1はIpsplit-based NGN体系の模式図を示し、ネットワークアタッチメント制御機能（Network Attachment Control Functions）、アイデンティティとロケーションの分離制御機能、伝送機能（Transport Functions）、リソース受付制御機能（Resource and Admission Control Functions）、サービス制御機能及び端末ユーザー機能を備え、
ネットワークアタッチメント制御機能（Network Attachment Control Functions）は、NGNネットワークにアクセスされたユーザー端末/ユーザーネットワークに登録、認証許可、アドレス割り当て、パラメータ配置、ロケーション管理等の機能を提供する。
【０００６】
アイデンティティとロケーションの分離制御機能（Id-loc- control functions，ILCF）はID/LOCマッピングの記憶と動的更新を行う。
【０００７】
伝送機能（Transport Functions）は、情報の伝送を完成する。
【０００８】
リソース受付制御機能（Resource and Admission Control Functions）は、策略とネットワークリソース状態に基づいて、ユーザー端末/ユーザーネットワークをネットワークにアクセスする際に受付制御、リソース予約等を完成する。
【０００９】
サービス制御機能（Services Control Functions）は、サービス層における一部であり、 サービス層では登録、認証許可、リソース制御等を完成する。
【００１０】
端末ユーザー機能はユーザーにネットワークアクセス機能を提供する。
【００１１】
IPSPLITに基づいたNGN体系機能フレームが図2に示すように、各機能エンティティの役割は以下の通りである、
伝送層ユーザー配置機能エンティティ(Transport User Profile Functional Entity、TUP-FE)は、伝送層面に関するユーザー情報を保存することに用いられ、
認証と許可機能エンティティ(Transport Authentication and Authorization Functional Entity，TAA-FE) は、伝送層の許可と認証機能を提供し、ユーザー情報に基づいてユーザーのネットワークアクセスに対して認証と許可検査を執行することに用いられ、
アクセス管理機能エンティティ(Access Management Functional Entity，AM-FE)は、ユーザーが開始したネットワークアクセス要求に対して翻訳変換を行い、IPアドレスとその他ネットワークパラメータを割り当てる要求をネットワークアクセス管理機能エンティティ（Network Access Configuration Functional Entity，NAC-FE）に送信することに用いられ、
ネットワークアクセス管理機能エンティティ（Network Access Configuration Functional Entity，NAC-FE）は、ユーザー端末にIPアドレスを割り当て、同時に、ユーザー端末にその他ネットワーク配置パラメータ、例えばDNSサーバーのアドレス、シグナリングエージェントのアドレス等を割り当てることに用いられ、
伝送層ロケーション管理機能エンティティ（Transport Location Management Functional Entity，TLM-FE）は、ユーザーに割り当てるIPアドレスとNAC-FEが提供したほかのネットワークロケーション情報を登録することに用いられ、
アイデンティティとロケーション分離マッピング機能エンティティ (Id -loc-split mapping function entity，ILM-FE)は、NGNにおいてユーザーアイデンティティとロケーション分離システムのマッピングデータベースエンティティとして、ユーザーアイデンティティ（Host ID）とロケーション（LOC）のマッピングを実現することに用いられる。
【００１２】
従来のIPSPLITネットワークにおいて、ID/LOCマッピングはUEによって主動的に開始される。UEがIPアドレスを取得した後、UEが主動的にILM-FEにID/LOCマッピング要求を送信し、ILM-FEがそのID/LOCマッピングを更新した後、ID/LOCマッピング応答をUEにリターンバックし、UEが主動的にID/LOCマッピングを開始する実現フローは図3に示す。
【００１３】
A. 認証と許可プロセス。
【００１４】
UEはAM-FEにネットワークアタッチメントを要求し、AM-FE がILM-FEによってユーザーの認証と許可プロセスを完成する。 
【００１５】
B. IPアドレス配置プロセス。
【００１６】
IPアドレスの配置プロセスが一般的なNGNシステムにおいて端末のIPアドレス配置プロセスと一致であり、それが自動設定によって取得でき、DHCP（Dynamic Host Configuration Protocol，動的ホスト配置プロトコル）方式によって取得する。具体的に、
UEはDHCPによってアドレス要求をNAC-FEに送信することと、
NAC-FEは1つのバインディング情報をTLM-FEにプッシュし（push）、このバインディング情報においてそれが割り当てた臨時アドレスと、その他、例えば論理、物理ポートアドレス伝送に関する情報を含むことと、
TLM-FEは策略情報をRACFにプッシュするとともに、アドレス付きのバインディング情報をNAC-FEに送信し、NAC-FEが新しいIPアドレスをUEに割り当てることとを含む。
【００１７】
C. ID/LOCマッピングプロセス。
【００１８】
C.1，UEはID/LOCマッピング要求をILM-FEに送信し、
C.2，ILM-FEがID/LOCマッピング更新を行った後、ID/LOCマッピング応答をUEにリターンバックする。
【００１９】
D. 伝送ロケーション管理プロセス。
【００２０】
SCFとILM-FEが相互に作用して伝送ロケーション管理を実現する。
【００２１】
従来のipsplitに基づいたネットワークにおいて、アイデンティティとロケーションのマッピングはUEによって主動的に開始され、UEが主動的にID/LOCマッピングを開始することはipsplit技術を実現させるが、ネットワークに基づいたipsplit技術において、UEによって主動的にID/LOCマッピングを開始することは効率が高くない。
【発明の概要】
【発明が解決しようとする課題】
【００２２】
本発明が解決しようとする技術問題は、ID/LOCマッピングの効率を向上させ、ネットワークに基づいたIPSPLITの特徴をよりよく適応するアイデンティティとロケーションマッピングの実現方法及びシステムを提供する。
【課題を解決するための手段】
【００２３】
上述の技術問題を解決するために、本発明はアイデンティティとロケーションマッピングの実現方法であって、
ネットワーク側は端末（UE）に新しいIPアドレスを割り当てた後、アイデンティティとロケーションマッピング要求をアイデンティティとロケーション分離マッピング機能エンティティ（ILM-FE）に送信することと、
前記ILM-FEは受信した前記アイデンティティとロケーションマッピング要求に基づいて、マッピング情報が載せられた応答をネットワーク側にリターンバックすることとを含む。
【００２４】
前記ネットワーク側がネットワークアクセス管理機能エンティティであることと、
前記アイデンティティとロケーションマッピングは前記新しいIPアドレスと端末アイデンティティを伝達することを要求することが好ましい。
【００２５】
前記ネットワーク側が端末に新しいIPアドレスを割り当てるステップにおいて、ネットワークアクセス管理機能エンティティは端末がアクセス管理機能エンティティによって送信した動的ホスト配置プロトコル要求を受信した後、端末に新しいIPアドレスを割り当てることが好ましい。
【００２６】
前記ネットワーク側が端末に新しいIPアドレスを割り当てるステップにおいて、ネットワークアクセス管理機能エンティティはアクセス管理機能エンティティが送信した配置要求を受信した後、端末に新しいIPアドレスを割り当てることが好ましい。
【００２７】
上述の技術問題を解決するために、本発明はアイデンティティとロケーションマッピングの実現システムであって、ネットワーク側、アイデンティティとロケーション分離マッピング機能エンティティ（ILM-FE）を備え、
前記ネットワーク側は、端末に新しいIPアドレスを割り当てた後、アイデンティティとロケーションマッピング要求をアイデンティティとロケーション分離マッピング機能エンティティ（ILM-FE）に送信するように設置され、
前記ILM-FEは、受信した前記アイデンティティとロケーションマッピング要求に基づいて、マッピング情報が載せられた応答をネットワーク側にリターンバックするように設置される。
【００２８】
前記ネットワーク側がネットワークアクセス管理機能エンティティであり、前記ネットワークアクセス管理機能エンティティは、前記ILM-FEに送信する前記アイデンティティとロケーションマッピング要求において前記新しいIPアドレスと端末アイデンティティを伝達するように設置されることが好ましい。
【００２９】
前記ネットワークアクセス管理機能エンティティはさらに、端末がアクセス管理機能エンティティによって送信した動的ホスト配置プロトコル要求を受信した後、端末に新しいIPアドレスを割り当てるように設置されることが好ましい。
【００３０】
前記ネットワークアクセス管理機能エンティティはさらに、アクセス管理機能エンティティが送信した配置要求を受信した後、端末に新しいIPアドレスを割り当てるように設置されることが好ましい。
【００３１】
上述の技術問題を解決するために、本発明はアイデンティティとロケーションマッピングをサポートする装置であって、ネットワーク側に応用され、前記装置は割り当てモジュール、送信モジュール及び受信モジュールを備え、
前記割り当てモジュールは、端末（UE）に新しいIPアドレスを割り当てるように設置され、
前記送信モジュールは、、割り当てモジュールがUEに新しいIPアドレスを割り当てた後、アイデンティティとロケーションマッピング要求をアイデンティティとロケーション分離マッピング機能エンティティ（ILM-FE）に送信するように設置され、
前記受信モジュールは、ILM-FEがリターンバックしたマッピング情報が載せられた応答を受信するように設置される。
【００３２】
前記装置がネットワークアクセス管理機能エンティティであることが好ましい。
前記送信モジュールはさらに、前記ILM-FEに送信する前記アイデンティティとロケーションマッピング要求において前記新しいIPアドレスと端末アイデンティティを伝達するように設置されることが好ましい。
【００３３】
前記送信モジュールはさらに、端末がアクセス管理機能エンティティによって送信した動的ホスト配置プロトコル要求を受信した後、端末に新しいIPアドレスを割り当てるように設置されることが好ましい。
【００３４】
前記送信モジュールはさらに、アクセス管理機能エンティティが送信した配置要求を受信した後、端末に新しいIPアドレスを割り当てるように設置されることが好ましい。
【００３５】
本発明を適用した後、IPSPLITネットワークにおいてネットワークに基づいてアイデンティティとロケーションマッピングを開始することを実現させ、ID/LOCマッピングの効率を向上させる。
【図面の簡単な説明】
【００３６】
【図１】Ipsplit-based NGN体系構架模式図である。
【図２】Ipsplit-based NGN体系機能フレーム模式図である。
【図３】従来UEがID/LOCマッピングを開始するプロセスの模式図である。
【図４】本発明におけるネットワークがID/LOCマッピングを開始するプロセスの模式図（DHCP方式でIPアドレスを取得する）である。
【図５】本発明におけるネットワークがID/LOCマッピングを開始するプロセス模式図（PPP方式でIPアドレスを取得する）である。
【発明を実施するための形態】
【００３７】
本発明の目的、技術方案及びメリットをより明らかにさせるように、以下に実施例を挙げて図面を参照して、本発明をさらに詳しく説明する。
【００３８】
本発明の中心思想は、IPSPLITに基づいたNGNにおいて、ネットワーク側が新しいUEに割り当てるIPアドレスを取得した後、ネットワーク側はID/LOCマッピング要求をILM-FEに送信する。ILM-FEはID/LOCマッピング要求を受信した後、マッピングの更新を行い、マッピング情報を携帯されるID/LOCマッピング応答をネットワーク側にリターンバックする。
【００３９】
《実施方式一》
IPSPLITに基づいたNGNネットワークにおいてユーザーがIPアドレスを取得する方式はDHCPの方式であり、PPPの方式であっても良く、IPSPLITネットワークにおいてDHCP方式でIPアドレスを取得してネットワークに基づいてアイデンティティとロケーションマッピングを開始する実現方法は図4に示すように、以下のプロセスを含む。
【００４０】
ステップ41、認証と許可プロセス。
【００４１】
UEがAM-FEにネットワークアタッチメントを要求し、AM-FEがILM-FEによってユーザーの認証と許可プロセスを完成する。 
【００４２】
ステップ42、IPアドレス配置プロセス。
【００４３】
IPアドレスの配置プロセスが一般的なNGNシステムにおいて端末のIPアドレス配置プロセスと一致であり、それが自動設定によって取得し、DHCP方式によって取得してもよい。具体的に、以下のステップを含む。
【００４４】
ステップ407、UEがDHCP要求をAM-FEに送信し、
ステップ408、AM-FEがDHCP要求をNAC-FEに送信し、
ステップ409、NAC-FEがDHCPアドレス要求を受信した後、UEにIPアドレスを割り当て、IPアドレス、論理接続識別子（Logical Connection Identifier Line ID）をバインディングし、NAC-FEがバインディング情報 をTLM-FEにプッシュし、該バインディング情報においてNAC-FEが割り当てた臨時アドレスとその他、例えば論理、物理ポートアドレス伝送に関する情報を含み、
ステップ410、TLM-FEは策略情報をRACFにプッシュし、
ステップ411、TLM-FEがバインディング応答をNAC-FEに答え、バインディング応答がバインディングの成功または失敗を表し、
その中に、ステップ410、411の順序関係がない。
【００４５】
ステップ412、NAC-FEが新しいIPアドレスをUEに割り当てる。
【００４６】
ステップ43、ID/LOCマッピングプロセスは、以下のステップを含み、
ステップ413、NAC-FEがID/LOCマッピング要求をILM-FEに送信し、
その中に、ステップ413はNAC-FEにDHCPアドレス要求がIPアドレスを割り当てることであるのを受信した後に行われる。
【００４７】
ステップ414、ILM-FEがID/LOCマッピングの更新を行い、マッピング情報を携帯されるID/LOCマッピング応答をNAC-FEにリターンバックする。
【００４８】
ステップ44、伝送ロケーション管理プロセス。
【００４９】
ステップ415、SCFとILM-FEとの相互作用は伝送ロケーション管理を実現する。
【００５０】
《実施方式二》
IPSPLITネットワークにおいてPPP方式でIPアドレスを取得してネットワークに基づいてアイデンティティとロケーションマッピングを開始する実現方法は図5に示すように、以下の内容を含み、
501、UEがAM-FEにPPP作成要求を送信し、
502、AM-FEがPPP 作成要求を受信した後、TAA-FEにアクセス要求（Access request）を送信し、
503、TAA-FEはAccess requestをILM-FEに伝送し、
504、ILM-FEがAccess requestを受信した後、認証許可を行い、認証許可情報を携帯されるアクセス応答をTAA-FEにリターンバックし、
505、TAA-FEがアクセス応答をAM-FEにリターンバックし、
506、AM-FEがIPアドレスと他の情報を取得するために、配置要求をNAC-FEに送信し、
507、NAC-FEがIPアドレスを取得してAM-FEに応答するとともに、NAC-FEも取得したIPアドレス及びそのバインディング情報をTLM-FEに送信し、NAC-FEも同時にID/LOCマッピング要求をILM-FEに送信し、ILM-FEが該ID/LOCマッピング要求を送信した後、ID/LOC及びその関連情報のバインディングを行い、次に、ILM-FEがマッピング情報を携帯されるマッピング応答をNAC-FEにリターンバックし、
508、ILM-FEは取得したバインディング情報をRACFにプッシュし、
509、AM-FEが割り当てたIPアドレスと他の情報を含むPPP応答をUEに送信する。
【００５１】
本発明はアイデンティティとロケーションマッピングを開始するシステムを提供し、当該システムはネットワーク側とILM-FEを備え、該ネットワーク側は、、端末に新しいIPアドレスを割り当てた後、アイデンティティとロケーションマッピング要求をILM-FEに送信するように設置され、前記ILM-FEは、前記アイデンティティとロケーションマッピング要求を受信した後、マッピング情報が載せられた応答を前記ネットワーク側にリターンバックするように設置される。
【００５２】
その中に、前記ネットワーク側がネットワークアクセス管理機能エンティティであり、前記ネットワークアクセス管理機能エンティティは、前記アイデンティティとロケーションマッピング要求には前記新しいIPアドレスと端末アイデンティティを伝達するように設置される。
【００５３】
その中に、前記ネットワークアクセス管理機能エンティティはさらに、端末がアクセス管理機能エンティティによって送信した動的ホスト配置プロトコル要求を受信した後、端末に新しいIPアドレスを割り当て、或いは、アクセス管理機能エンティティが送信した配置要求を受信した後、端末に新しいIPアドレスを割り当てるように設置される。
本発明の実施例において、アイデンティティとロケーションマッピングをサポートする装置はネットワーク側に応用され、当該装置は割り当てモジュール、送信モジュール及び受信モジュールを備え、
前記割り当てモジュールは、端末（UE）に新しいIPアドレスを割り当てるように設置され、
前記送信モジュールは、割り当てモジュールがUEに新しいIPアドレスを割り当てた後、アイデンティティとロケーションマッピング要求をアイデンティティとロケーション分離マッピング機能エンティティ（ILM-FE）に送信するように設置され、
前記受信モジュールは、ILM-FEがリターンバックしたマッピング情報が載せられた応答を受信するように設置される。
【００５４】
前記装置はネットワークアクセス管理機能エンティティであってもよい。
【００５５】
前記送信モジュールはさらに、前記ILM-FEに送信した前記アイデンティティとロケーションマッピング要求には前記新しいIPアドレスと端末アイデンティティを伝達するように設置されてもよい。
【００５６】
前記送信モジュールは、端末がアクセス管理機能エンティティによって送信した動的ホスト配置プロトコル要求を受信した後、端末に新しいIPアドレスを割り当てるように設置されてもよい。
【００５７】
前記送信モジュールは、アクセス管理機能エンティティが送信した配置要求を受信した後、端末に新しいIPアドレスを割り当てるように設置されてもよい。
【００５８】
本発明はネットワーク側には新しいIPアドレスをUEに割り当てた後、ネットワーク側が主動的にID/LOCマッピングをILM-FEに送信し、従来技術における、ネットワーク側に新しいIPアドレスをUEに割り当てた後、UEからID/LOCマッピングをILM-FEに送信することと比べ、ID/LOCマッピングの更新の効率がより速い。
【００５９】
本発明の特定の実施例に結び付けて記述した内容に限らず、本発明の精神と範囲から逸脱することなく修正や変更を加えることができることは当業者にとって明らかである。このような修正や変更は本発明の範囲と添付の請求項範囲内にあるものと見なされる。
【産業上の利用可能性】
【００６０】
本発明はアイデンティティとロケーションマッピングの実現方法及びシステムを提供し、ネットワーク側に新しいIPアドレスをUEに割り当てた後、ネットワーク側は主動的にID/LOCマッピングをILM-FEに送信し、従来技術における、ネットワーク側に新しいIPアドレスをUEに割り当てた後、UEからID/LOCマッピングをILM-FEに送信することと比べ、ID/LOCマッピングの更新の効率がより速い。
【図１】
2013509837.tif 000003
【図２】
2013509837.tif 000004
【図３】
2013509837.tif 000005
【図４】
2013509837.tif 000006
【図５】
2013509837.tif 000007
【国際調査報告】
2013509837.tif 000008
2013509837.tif 000009
2013509837.tif 000010
2013509837.tif 000011